(57)【要約】【課題】タブレットへの入力を容易とすることができるタブレット入力補助具を提供する。【解決手段】タッチパネル２を上方に向けた状態でタブレット１が設置される設置部２３と、設置部２３の前方側かつ上方に設けられる手置き部３１Ａと、を備えている。【選択図】図５
2020087058.tif 000002
【特許請求の範囲】
【請求項１】
タッチパネルを上方に向けた状態でタブレットが設置される設置部と、
前記設置部の前方側かつ上方に設けられる手置き部と、を備えていることを特徴とするタブレット入力補助具。
【請求項２】
前記手置き部は、前記設置部の一部を覆う庇部を有していることを特徴とする請求項１に記載のタブレット入力補助具。
【請求項３】
前記設置部の底部及び前記手置き部は、互いに略平行に配置され、前方から後方に向かうほどに高さが増していることを特徴とする請求項１または２に記載のタブレット入力補助具。
【請求項４】
前記設置部の後端部から下方に延出する鉤部を有していることを特徴とする請求項１ないし３のいずれかに記載のタブレット入力補助具。
【請求項５】
前記設置部は、後端部が開放されていることを特徴とする請求項１ないし４のいずれかに記載のタブレット入力補助具。
【請求項６】
前記設置部は、右端部または左端部の一方が開放されており、他方が壁部により閉塞されていることを特徴とする請求項１ないし５のいずれかに記載のタブレット入力補助具。
【発明の詳細な説明】
【技術分野】
【０００１】
本発明は、タブレットが装着されるタブレット入力補助具に関する。
【背景技術】
【０００２】
会計時にクレジットカードを使用するにあたって、クレジットカードの利用者が本人であることを店舗側が確認するためにサインを求められることがある。このような場面でサインする際に、タッチパネルにタッチペンや指を用いてサインする書込入力器が知られている。
【０００３】
例えば、特許文献１に示される書込入力器は、タッチペンと、デジタイザ（タッチパネル）と、を有しており、カウンターやテーブルの天板上に載置された状態で、デジタイザ上でタッチペンを操作してサインすることによって、デジタイザ上に液晶等によりサインを表示可能であるとともに、そのサインの情報を保存することで店舗側がサインを受理可能となっている。
【０００４】
ところで、最近では、パーソナルコンピュータ（以下、「ＰＣ」と記載）を用いたＰＣＰＯＳ（ｐｏｉｎｔ  ｏｆ  ｓａｌｅｓ）の代わりに、取回しが良く、直感的な操作が可能なタブレットを用いたタブレットＰＯＳが広がりつつある。このようなタブレットＰＯＳは、上述したようなサインを求める場面において、特許文献１に示される端末装置のように、タッチパネル上でタッチペンや指を動かしてサインを受理することが可能となっている。
【先行技術文献】
【特許文献】
【０００５】
【特許文献１】特開平５−９４４６５号公報（第３，４頁、第１図）
【発明の概要】
【発明が解決しようとする課題】
【０００６】
このようなタブレットＰＯＳは、サインするにあたって、他方の手でタブレットＰＯＳを把持した状態では、一方の手を宙に浮かせた状態でサインする必要がありサインしにくかった。また、タブレットＰＯＳをカウンターやテーブルの天板上に載置した状態では、天板上に手の側部（所謂手刀部）をガイドさせることができるので安定してサインできるものの、タブレットＰＯＳのタッチパネルは天板よりも上方に位置するためサインしにくいだけでなく、タッチパネルにタッチペンや指以外の部分（例えば、手刀部）が接触してしまい、タブレットＰＯＳが反応しないことや予期しない処理が成されてしまう虞があった。これらのことから、タブレットＰＯＳはサインしにくいという問題があった。
【０００７】
本発明は、このような問題点に着目してなされたもので、タブレットへの入力を容易とすることができるタブレット入力補助具を提供することを目的とする。
【課題を解決するための手段】
【０００８】
前記課題を解決するために、本発明のタブレット入力補助具は、
タッチパネルを上方に向けた状態でタブレットが設置される設置部と、
前記設置部の前方側かつ上方に設けられる手置き部と、を備えていることを特徴としている。
この特徴によれば、タブレット入力補助具の設置部に設置されたタブレットのタッチパネルよりも上方に位置に位置する手置き部に手を載せてサインすることができる。これにより、手置き部に手の手刀部がガイドされるとともに、タッチパネルにタッチペンや指以外の部分が接触することが防止され、タブレットへ容易に入力をすることができるようになる。
【０００９】
前記手置き部は、前記設置部の一部を覆う庇部を有していることを特徴としている。
この特徴によれば、タブレット入力補助具の設置部に設置されたタブレットの前方側は庇部により覆われた状態となることから、タブレットのタッチパネルに近い位置の手置き部に手を載せてサインすることができる。
【００１０】
前記設置部の底部及び前記手置き部は、互いに略平行に配置され、前方から後方に向かうほどに高さが増していることを特徴としている。
この特徴によれば、タブレットは後方側が高くなるように傾斜して配置されるため、利用者からタブレットのタッチパネルが視やすく、且つタブレットの傾斜と略平行に手置き部が配置されるためサインが容易となる。
【００１１】
前記設置部の後端部から下方に延出する鉤部を有していることを特徴としている。
この特徴によれば、鉤部をカウンターや箱等の縁に吊り下げ係止させる、または鉤部をカウンター上に載せて箱に立てかける等してタブレット入力補助具を保管することができる。
【００１２】
前記設置部は、後端部が開放されていることを特徴としている。
この特徴によれば、タブレットを後端部から前方に向けて移動させて設置部に設置することができるため、タブレットの設置部への着脱が容易である。
【００１３】
前記設置部は、右端部または左端部の一方が開放されており、他方が壁部により閉塞されていることを特徴としている。
この特徴によれば、タブレットを右端部または左端部の一方から移動させて設置部に設置することができるため、タブレットの設置部への着脱が容易であるとともに、右端部または左端部の他方の壁部によってタブレットの設置部への設置時の位置決めを行うことができる。
【図面の簡単な説明】
【００１４】
【図１】本発明の実施例１におけるタブレットが装着されたタブレット入力補助具を示す斜視図である。
【図２】タブレット入力補助具を示す上面図である。
【図３】（ａ）はタブレット入力補助具を側面から見た一部破断図、（ｂ）は同じく側断面図、（ｃ）は（ｂ）におけるスナップ近傍の構造を示す要部拡大図である。
【図４】（ａ）は設置部にタブレットを後方側から設置する形態を示す概略図、（ｂ）は設置部にタブレットを右方側から設置する形態を示す概略図、（ｃ）は大きいサイズのタブレットを設置部に設置する形態を示す概略図である。
【図５】ブレット入力補助具に装着されたタブレットを用いてサインを行う形態を示す側断面図である。
【図６】（ａ），（ｂ）は、ブレット入力補助具の保管方法を示す斜視図である。
【実施例１】
【００１５】
実施例１に係るタブレット入力補助具につき、図１から図６を参照して説明する。
【００１６】
図１に示されるように、本発明の実施例に係るタブレット入力補助具１０は、タブレット１が装着されるものである。ここでいうタブレット１は、スーパーマーケットやコンビニエンスストア等で使用されるタブレットＰＯＳであり、会計処理ばかりでなく、タブレット１の静電容量方式のタッチパネル２にタッチペン３でサインされることで、クレジットカードでの支払いに対するサインの受理を行うことができる。タブレット入力補助具１０は、クレジットカード利用者に対してサインを求める際に使用されるものである。
【００１７】
図１〜図３を参照して、タブレット入力補助具１０は、タブレット１が載置される本体２０と、本体２０に固定されたカバー３０と、から主に構成されている。
【００１８】
先ず、本体２０について説明する。図２，図３を参照して、本体２０は、ＡＢＳ樹脂で形成された本体側基礎部材２１と、本体側基礎部材２１の上面部に取付けられた平板状のアルミ板２５と、ＡＢＳ樹脂で形成され本体側基礎部材２１に取付けられたスナップ２６と、シート状に形成されスナップ２６の上面に貼着された銅テープ２７と、から構成されている。
【００１９】
本体側基礎部材２１は、底板部２１Ａと、底板部２１Ａの両側面に配置される側板部２１Ｂと、が一体成形されている。底板部２１Ａは、略前後方向に延びる前端部２１ｇと、側面視前端部２１ｇの後端部から後方に向かうほど高くなるように直線状に延びる平板状の傾斜板部２１ｅと、を備えており、前端部２１ｇに上下方向に貫通する貫通孔２１ａが形成され、傾斜板部２１ｅに上下方向に貫通する貫通孔２１ｂが形成されている。尚、図２においては、説明の便宜上、貫通孔２１ａ，２１ｂを２点鎖線で示している。
【００２０】
前端部２１ｇにおける貫通孔２１ａの前端縁には、上方に立ち上がる立上部２１ｃが形成されている。また、傾斜板部２１ｅにおける貫通孔２１ｂの前端縁には、上方に立ち上がる立上部２１ｄが形成されている。尚、図示しないが、前方側の立上部２１ｃは、貫通孔２１ａの左右幅と同一幅で形成されており、後方側の立上部２１ｄは、底板部２１Ａの左右幅と同一幅で形成されている。さらに尚、後方側の立上部２１ｄは、前方側の立上部２１ｄよりも上下方向に長くなっている。
【００２１】
また、傾斜板部２１ｅの後端縁には鉤部２１ｆが設けられている。詳しくは、鉤部２１ｆは、傾斜板部２１ｅの後端縁から下方に延びる延設部２１ｋと、延設部２１ｋの下端部から前方側に延びる爪部２１ｍと、から構成されている。尚、立上部２１ｃの下面、及び鉤部２１ｆ（爪部２１ｍ）の下面にはゴム製の滑り止め用シート２８が貼着されている。
【００２２】
側板部２１Ｂは、前端部分が前端部２１ｇ及び立上部２１ｃ，２１ｄが側方から見えないように形成されるとともに、後端部分が傾斜板部２１ｅと鉤部２１ｆとが側方から見えないように形成されている。尚、側板部２１Ｂの後端部分は、その下面が傾斜板部２１ｅと平行となるように形成されているので、側方から傾斜板部２１ｅと鉤部２１ｆとで囲まれた空間に指先等を挿入可能となっている。また、傾斜板部２１ｅの左端縁には、上端縁が立上部２１ｄの上端部から傾斜板部２１ｅの後端部まで直線状に延びる壁部２１Ｃが立設されている。
【００２３】
傾斜板部２１ｅの上面には、断面視上向きコ字形状かつ上面視矩形状の凹部２１ｈが形成されており、前述したアルミ板２５は、凹部２１ｈ内に設置されている。凹部２１ｈの深さは、アルミ板２５の厚みよりも浅く形成されているので、凹部２１ｈ内に設置された状態においてアルミ板２５の上面側が凹部２１ｈよりも上方に張り出すようになっている（特に図３（ｂ）拡大部参照）。
【００２４】
すなわち、本体２０には、立上部２１ｃ、傾斜板部２１ｅ、アルミ板２５、壁部２１Ｃにより画成された設置部２３が形成されている。傾斜板部２１ｅ及びアルミ板２５は、設置部２３の底部を構成しており、設置部２３は、後方側及び右方側に開放されており、左方側は壁部２１Ｃにより閉塞されている。尚、立上部２１ｃの背面側（設置部２３側）及び壁部２１Ｃの右側面（設置部２３側）には、弾性を有するとともに高摩擦部材である例えばゴム等の緩衝部材２９ａ，２９ｂがそれぞれ固着されている。
【００２５】
スナップ２６は、その後端部２６ａが傾斜板部２１ｅにおける貫通孔２１ｂ側の上端縁に形成された段部２１ｊに載置されており、段部２１ｊとアルミ板２５とにより上下方向に狭持されている。また、スナップ２６は、後端部２６ａから貫通孔２１ｂを通って立上部２１ｄの下方まで延びる中間部２６ｂと、中間部２６ｂの前端から立上部２１ｃ，２１ｄを繋ぐように下向きＵ字状に延びる前端部２６ｃと、を備えている。また、前端部２６ｃは、立上部２１ｃの上端縁に係止される爪部２６ｄを有している。これら後端部２６ａ、中間部２６ｂ、前端部２６ｃの上面には、シート状の銅テープ２７が貼着されている。
【００２６】
次に、カバー３０について説明する。図１〜図３を参照して、カバー３０は、ＡＢＳ樹脂で形成されたカバー側基礎部材３１と、カバー側基礎部材３１に固定された円柱状のアルミ棒３５と、から主に構成されている。
【００２７】
カバー側基礎部材３１は、本体２０における前端部２１ｇの前端から立上部２１ｄまで前後方向に延び、且つ左右の側板部２１Ｂの前端部分に渡って左右方向に延びる上面視略矩形の板状を成し、前端部２１ｇ、立上部２１ｄ、左右の側板部２１Ｂにより囲われた空間（本体側基礎部材２１の前端部２１ｇの上部空間）を上方から被覆するように設置されている。カバー側基礎部材３１は、その上面が本体２０における傾斜板部２１ｅと略平行に配置され、前方から後方に向かうほどに高さが増すように構成されている。
【００２８】
カバー側基礎部材３１には、その前端側において厚み方向に凹むように設けられる断面視Ｕ字状の溝部３２と、溝部３２よりも後端側において左右方向に長く厚み方向に貫通した上面視横長矩形状のスリット３３とが形成されており、スリット３３よりも後端側において設置部２３側に突出する庇部３４が備えられている。尚、カバー側基礎部材３１における溝部３２よりも後端側の部分は、利用者がサインするときに手を載せる手置き部３１Ａとして機能している。
【００２９】
次に、タブレット入力補助具１０の組立てについて説明する。先ず、スナップ２６の後端部２６ａを、貫通孔２１ｂの下方から通して本体側基礎部材２１の段部２１ｊに配置するとともに、スナップ２６の前端部２６ｃを立上部２１ｃ，２１ｄとの間（貫通孔２１ａ）に圧入し、爪部２６ｄを立上部２１ｃの上端縁に係止させる。これにより、スナップ２６を本体側基礎部材２１に取付けることができる。尚、スナップ２６を本体側基礎部材２１から取外す際には、爪部２６ｄを後方側へと押し下げることによって容易に取外すことができる。
【００３０】
次いで、アルミ板２５を本体側基礎部材２１の凹部２１ｈに嵌合させ両面テープで固定する。本体側基礎部材２１の凹部２１ｈに固定されたアルミ板２５は、スナップ２６に貼着されている銅テープ２７に後端部２６ａの上方において面当接している。スナップ２６の後端部２６ａの厚みと銅テープ２７の厚みとの和は、段部２１ｊの深さよりも僅かに大きくなっており、スナップ２６の後端部２６ａが凹部２１ｈ側に張り出すため、スナップ２６の後端部２６ａに貼着されている銅テープ２７に確実にアルミ板２５が確実に接触するようになっている。
【００３１】
次いで、スナップ２６の前端部２６ｃの上部にアルミ棒３５を載置するとともに、カバー側基礎部材３１を本体側基礎部材２１の前端部分を上方から閉塞するように固定する。これにより、アルミ棒３５の上端部分がスリット３３を貫通しカバー３０よりも上方に露出するとともに、カバー側基礎部材３１とスナップ２６の前端部２６ｃとによりアルミ棒３５が上下に狭持されて固定される。尚、スナップ２６の前端部２６ｃは、下向きＵ字状に湾曲して形成されているので、スナップ２６の前端部２６ｃとカバー側基礎部材３１とによりアルミ棒３５を上下に狭持したときに、弾性変形され、その弾性復元力によりアルミ棒３５を強固にカバー側基礎部材３１に押し付けることができる。これにより、アルミ棒３５は、スナップ２６の前端部２６ｃとカバー側基礎部材３１とにより狭持された状態において、スナップ２６に貼着されている銅テープ２７に確実に接触する。
【００３２】
次いで、タブレット入力補助具１０の設置部２３にタブレット１を設置する形態を図４に基づいて説明する。
【００３３】
図４（ａ）に示されるように、タブレット入力補助具１０の設置部２３は、後方側が開放されているので、設置部２３に対して後方側からタブレット１をスライドさせることができる。設置部２３に対して後方側からスライドされるタブレット１の前端部は、立上部２１ｃ、アルミ板２５、庇部３４により囲まれた空間（図３参照）内に挿入されて装着するとともに、立上部２１ｃの背面に固着された緩衝部材２９ａに接触して前後方向の位置決めがされる（図５参照）。このように、タブレット１の前端部が立上部２１ｃに対して緩衝部材２９ａを介して接触するので、タブレット１や立上部２１ｃが接触により破損することが防止される。
【００３４】
また、タブレット１の左端部をタブレット入力補助具１０の壁部２１Ｃに沿って配置することにより、タブレット１の左右方向の位置決めがされる。尚、このときも、タブレット１と壁部２１Ｃとの間に、壁部２１Ｃの右側面に固着された緩衝部材２９ｂが介在するため、タブレット１や壁部２１Ｃの破損を防止できる。また、タブレット１がタブレット入力補助具１０の設置部２３に設置された状態にあっては、タブレット１と該タブレット１に接触する緩衝部材２９ａ，２９ｂとの摩擦力により、タブレット１が後方側または右方側にずれることが抑制される。
【００３５】
また、図４（ｂ）に示されるように、タブレット入力補助具１０の設置部２３は、右方側にも開放されているので、設置部２３に対して右方側からタブレット１をスライドさせることができる。設置部２３に対して右方側からスライドされるタブレット１の左端部は、緩衝部材２９ｂに接触して左右方向の位置決めがされる。また、タブレット１前端部を立上部２１ｃに沿って配置することにより、タブレット１前端部が立上部２１ｃ、アルミ板２５、庇部３４により囲まれた空間（図３参照）内に挿入されるとともに、タブレット１の前後方向の位置決めがされる（図５参照）。
【００３６】
尚、設置部２３に対して右後方側から斜め方向にタブレット１をスライドさせて設置するようにしてもよい。また、タブレット１をタブレット入力補助具１０から取外す際には、後方側、右方側、もしくは、斜め右後方側にタブレット１をスライドさせて取外せばよい。
【００３７】
このように、設置部２３に対して後方側、右方側、もしくは、斜め右後方側からタブレット１を容易に着脱できるとともに、立上部２１ｃや壁部２１Ｃを利用してタブレット１の装着時の位置決めを行うことができる。
【００３８】
また、図４（ｃ）に示されるように、タブレット入力補助具１０の設置部２３は、後方側及び右方側に開放されているので、例えば、タブレット１よりもサイズの大きいタブレット１’の後方側及び右方側を設置部２３の外側に飛び出させて設置することができる。このように、タブレット入力補助具１０は、複数種類のサイズのタブレットを設置できるので汎用性が高い。
【００３９】
次いで、タブレット入力補助具１０に装着されたタブレット１を用いてサインを行う形態を図５に基づいて説明する。
【００４０】
タブレット入力補助具１０に装着されたタブレット１を用いてサインを行う際には、前述した手置き部３１Ａに利用者の手が載置される。具体的には、タブレット入力補助具１０の設置部２３に設置されたタブレット１のタッチパネル２よりも上方に位置する手置き部３１Ａに手を載せてサインすることができる。これにより、手置き部３１Ａに手の手刀部がガイドされるとともに、タッチパネル２にタッチペン３以外の部分が接触することが防止され、タブレット１へ容易に入力をすることができるようになる。
【００４１】
また、アルミ棒３５は、面状を成すカバー３０よりも上方へ突出しているため、タッチパネル２への入力時には、利用者の手刀部とカバー３０との接触面積が小さくなるとともに、該アルミ棒３５は円柱状を成しているため、平板状のアルミ棒に接触する場合に比べて、利用者の手刀部とアルミ棒３５との接触面積も小さくなり、利用者の手を左右に動かしたときに手置き部３１Ａとの間に生じる摩擦力を小さくすることができる。また、アルミ棒３５は、設置部２３に設置されたタブレット１のタッチパネル２の上下端縁と略平行に左右方向に延びているので、アルミ棒３５に沿って利用者の手をスライドさせれば、タッチパネル２の入力を左右方向に正確に行うことができる。尚、アルミ棒３５は、利用者の手刀部のスライドを円滑に行うために、鏡面仕上げ等の加工が施されていることが好ましい。
【００４２】
尚、本実施例では、タッチパネル２にタッチペン３でサインを行う形態を例に挙げ説明しているが、タブレット１がタブレット入力補助具１０に装着された状態においてタッチパネル２を指で操作することもできる。この場合であっても、指以外の部分（例えば、手刀部等）がタッチパネル２に接触することが防止される。
【００４３】
また、手置き部３１Ａは、設置部２３の一部を覆う庇部３４を有しているので、タブレット１のタッチパネル２に近い位置まで手を載せてサインすることができ、タブレット１への入力がしやすい。尚、庇部３４の設置部２３側への突出量は、２０ｍｍ〜５０ｍｍ程度が好ましい。本実施例では、庇部３４が設置部２３側に２０ｍｍ程度突出されており、庇部３４が設置部２３に設置されたタブレット１の下端部を覆うようになっているので、タッチパネル２の中央部近傍に対してサインしやすい。さらに尚、庇部３４の突出量を２０ｍｍ以下（例えば、１０ｍｍ程度）としてタッチパネル２の下端部近傍に対してサインしやすいように設計してもよい。また、例えば、使用者の手の大きさ、タッチパネル２のサイズ、入力欄の位置に合わせて、庇部３４の突出量を前後に調整可能な構成としてもよい。
【００４４】
また、庇部３４の厚みは、１０ｍｍ以下であることが好ましい。本実施例では、庇部３４の厚みが略５ｍｍに形成されている。これによれば、庇部３４の強度を確保しつつ、庇部３４の上面からタッチパネル２の上面までの距離を短くできるので、タッチパネル２に対して違和感なく入力することができる。
【００４５】
また、手置き部３１Ａは、設置部２３の底部を構成する傾斜板部２１ｅ及びアルミ板２５と略平行に配置され、前方から後方に向かうほどに高さが増している。このように、タブレット１はタブレット入力補助具１０に対し後端側が高くなるように傾斜して配置されるため、タブレット入力補助具１０を机の天板Ｆ上に配置したときに、タブレット１のタッチパネル２が前方側の利用者から視やすくなるとともに、タッチパネル２に対して手置き部３１Ａが略平行に配置されることからサインが容易となる。
【００４６】
また、設置部２３の後端部から下方に延出する鉤部２１ｆを有している。これによれば、傾斜板部２１ｅの板厚を後方側に向かうにつれて厚くしなくても、後端側が高くなるように傾斜させることができる。また、タブレット入力補助具１０を机の天板Ｆ上に配置したときに、傾斜板部２１ｅと天板Ｆとの間に隙間が生じるため、傾斜板部２１ｅと天板Ｆとの隙間に指先を入れてタブレット入力補助具１０を簡便に持ち上げることができる。
【００４７】
また、図６（ａ）に示されるように、例えば、タブレット１を収納可能な収納部４Ａを有するタブレット収納箱４に鉤部２１ｆを用いて係止させることができる。具体的には、タブレット収納箱４は、左右の側板４１と、底板４２と、天板４３と、図示しない背板と、側板４１、底板４２、天板４３、及び背板で囲われた空間を上下に区画する区画板４４と、を備えており、区画板４４の上下に収納部４Ａが形成されている。側板４１の上端縁４１ａは、天板４３よりも上方に張り出している。側板４１の上端縁４１ａに鉤部２１ｆの爪部２１ｍ（図５参照）を上方から係止させることでタブレット入力補助具１０を吊り下げて省スペースで保管することができるようになっている。
【００４８】
また、図６（ｂ）に示されるように、タブレット収納箱４が横置きの場合（爪部２１ｍを係止させる場所がない場合）には、机の天板Ｆ上に鉤部２１ｆにおける延設部２１ｋ（図５参照）を底面としてタブレット入力補助具１０を立設させるとともに、前端部２１ｇ側（図５参照）をタブレット収納箱４に立てかけて省スペースで保管することができる。
【００４９】
尚、本実施例では、タブレット収納箱４に対して吊り下げたり、立てかけることで保管する形態を例示したが、机やその他什器等に吊り下げたり立てかけて保管するようにしてもよい。
【００５０】
図５に戻って、手置き部３１Ａに利用者の手が載置されたときには、手の手刀部がアルミ棒３５に接触する。このアルミ棒３５は、スナップ２６の上面に貼着された銅テープ２７を介してアルミ板２５に接触されており、アルミ板２５の上面には、タブレット１が載置されている。これによれば、利用者の手刀部がアルミ棒３５に接触したときに、タブレット１周辺に存在する静電気等の微弱電流がアルミ板２５、銅テープ２７、アルミ棒３５、利用者の順に流入されるとともに、タッチペン３がタッチパネル２に触れることで生じた微小電流がタブレット１、アルミ板２５、銅テープ２７、アルミ棒３５、利用者の順に流入されるので、タッチパネル２表面の電流が安定し、タッチペン３を動かした際に発生する電位差が正確に認識されるようになり、安定して入力を行うことができる。
【００５１】
以上、本発明の実施例を図面により説明してきたが、具体的な構成はこれら実施例に限られるものではなく、本発明の要旨を逸脱しない範囲における変更や追加があっても本発明に含まれる。
【００５２】
例えば、前記実施例では、タブレット１を装着したタブレット入力補助具１０を机の天板Ｆに載置してサインを行う形態を例示したが、タブレット１を装着したタブレット入力補助具１０を持ち上げた状態でサインを行うようにしてもよい。この場合であっても、手置き部３１Ａと傾斜板部２１ｅ及びアルミ板２５とが略平行に配置されているので、サインがしやすい。
【００５３】
また、前記実施例では、設置部２３の底部を構成する傾斜板部２１ｅが後方に向かうほどに高くなるように傾斜する形態を例示したが、設置部２３の底部は略水平に配置されていてもよいし、後方に向かうほど低くなるように傾斜していてもよい。これらの場合であっても、手置き部３１Ａと設置部２３の底部とが略平行に配置されることが好ましい。
【００５４】
また、前記実施例では、設置部２３の後方側及び右方側が開放されている形態を例示したが、設置部２３の左方側も開放されていてもよい。また、設置部２３の後方側、右方側、左方側のうち少なくとも１つが開放されていればよい。
【００５５】
また、前記実施例では、緩衝部材２９ａ，２９ｂが弾性を有する高摩擦部材により構成される形態を例示したが、緩衝部材は少なくとも弾性を有していればよく、例えば、フッ素樹脂などの低摩擦部材を用い、低摩擦部材上を滑らせることで設置部２３へのタブレット１の着脱を簡便に行うようにしてもよい。
【００５６】
また、前記実施例のタブレット入力補助具１０は、会計処理やサインの受理を行うタブレットＰＯＳであるタブレット１が装着される形態を例示したが、タブレット入力補助具に装着されるタブレットは、会計処理やサインの受理等の機能を有さないタブレットＰＯＳ以外のタブレットであってもよい。
【符号の説明】
【００５７】
１，１’          タブレット
２                タッチパネル
３                タッチペン
４                タブレット収納箱
１０              タブレット入力補助具
２１Ｃ            壁部
２１ｅ            傾斜板部（設置部の底部）
２１ｆ            鉤部
２３              設置部
２５              アルミ板（設置部の底部）
２７              銅テープ
３１Ａ            手置き部
３４              庇部
【図１】
2020087058.tif 000003
【図２】
2020087058.tif 000004
【図３】
2020087058.tif 000005
【図４】
2020087058.tif 000006
【図５】
2020087058.tif 000007
【図６】
2020087058.tif 000008